(57)【要約】本発明は、同期式移動通信網と非同期式移動通信網で円滑なローミングを可能にするデュアルバンド／デュアルモードを支援する移動通信端末のハンドオーバ方法に関し、同期移動通信網の基地局は非同期移動通信網用ダミーパイロット信号を送出し、非同期無線装置を通した非同期移動通信網との呼接続中である移動通信端末が前記同期移動通信網の基地局から送出される非同期移動通信網用ダミーパイロット信号が前記非同期無線装置を介して受信されたかを判断するステップと、非同期移動通信網用ダミーパイロット信号が受信されたと判断すれば、移動通信端末が非同期移動通信網にハンドオーバを要請するステップと、非同期移動通信網がハンドオーバを決定して、前記移動通信端末にハンドオーバ決定を通報し、前記非同期移動通信網が同期移動通信網にハンドオーバを要請してハンドオーバを行うステップとを含んでなされることにその技術的特徴がある。
2008527776.tif 000002
【特許請求の範囲】
【請求項１】
非同期移動通信網と同期移動通信網とが混在した移動通信網で、前記非同期移動通信網と非同期通信を行うための非同期無線装置と、前記同期移動通信網と同期通信を行うための同期無線装置と、前記同期および非同期無線装置を介して前記同期／非同期移動通信網との無線通信時の制御を行う共通モジュールを備えるデュアルバンド／デュアルモード移動通信端末のハンドオーバ方法であって、
前記同期移動通信網の基地局は非同期移動通信網用ダミーパイロット信号を送出し、前記非同期無線装置を通した非同期移動通信網との呼接続中である移動通信端末が、前記同期移動通信網の基地局から送出される非同期移動通信網用ダミーパイロット信号が前記非同期無線装置を介して受信されたかを判断する第１ステップと、
前記１ステップで前記非同期移動通信網用ダミーパイロット信号が受信されたと判断すれば、移動通信端末が非同期移動通信網にハンドオーバを要請する第２ステップと、
前記第２ステップでのハンドオーバ要請により、非同期移動通信網がハンドオーバを決定して、前記移動通信端末にハンドオーバ決定を通報して、前記非同期移動通信網が同期移動通信網にハンドオーバを要請して、ハンドオーバを行う第３ステップとを含むことを特徴とする、デュアルバンド／デュアルモードを支援する移動通信端末のハンドオーバ方法。
【請求項２】
前記第３ステップは、
前記非同期移動通信網が同期移動通信網にハンドオーバを要請するにつれ、前記同期移動通信網の基地局が前記移動通信端末の同期無線装置に前方向チャネル割当を行うステップと、
前記同期移動通信網の交換機が前記非同期移動通信網に前記ハンドオーバ要請による応答信号を伝送するステップと、
前記非同期移動通信網が前記移動通信端末の非同期無線装置にチャネル割当情報を含むハンドオーバ要求メッセージを伝送するステップと、
前記移動通信端末の非同期無線装置が前記同期無線装置に前記チャネル割当情報を伝送するステップと、
前記非同期無線装置および同期無線装置との間のモード切り替えを行うステップと、
前記同期無線装置と前記同期移動通信網との間に逆方向チャネルを割り当て、同期を獲得して接続を行うステップと、
前記同期移動通信システムが前記非同期移動通信システムに非同期モデム部との呼解除を要請するステップとを含むことを特徴とする、請求項１に記載のデュアルバンド／デュアルモードを支援する移動通信端末のハンドオーバ方法。
【請求項３】
前記非同期無線装置および同期無線装置間のモード切り替えを行うステップは、
前記同期無線装置のスイッチ−オンおよびワーム−アップを行って起動するステップと、
前記同期無線装置が前記同期移動通信網からパイロットチャネルおよび同期チャネルを獲得するステップと、
前記同期無線装置がアイドル状態に遷移して、アイドル状態の同期無線装置がトラフィックチャネルを初期化するステップと、
前記同期無線装置が初期化後にトラフィック状態に遷移するステップとを含むことを特徴とする、請求項２に記載のデュアルバンド／デュアルモードを支援する移動通信端末のハンドオーバ方法。
【請求項４】
前記第３ステップにおいて、
前記非同期移動通信網がハンドオーバを決定して前記移動通信端末にハンドオーバ決定を通報すれば、前記移動通信端末は同期移動通信網の基地局情報を前記非同期移動通信網に伝送することを特徴とする、請求項１に記載のデュアルバンド／デュアルモードを支援する移動通信端末のハンドオーバ方法。
【請求項５】
前記非同期移動通信網用ダミーパイロット信号は、非同期移動通信網と同期移動通信網との境界地域に位置する同期移動通信網の基地局から送出されることを特徴とする、請求項１に記載のデュアルバンド／デュアルモードを支援する移動通信端末のハンドオーバ方法。
【請求項６】
非同期移動通信網と非同期通信を行うための非同期無線装置と、同期移動通信網と同期通信を行うための同期無線装置と、前記同期および非同期無線装置を介して前記同期／非同期移動通信網との無線通信時の制御を行う共通モジュールを備えるデュアルバンド／デュアルモード移動通信端末に対する非同期移動通信網と同期移動通信網とが混在した移動通信網のハンドオーバ方法であって、
前記非同期移動通信網と同期移動通信網との境界地域に位置する前記同期移動通信網の基地局が非同期移動通信網用ダミーパイロット信号を送出する第１ステップと、
前記非同期移動通信網が前記ダミーパイロット信号を受信した移動通信端末からハンドオーバの要請を受信する第２ステップと、
前記ハンドオーバ要請により非同期移動通信網のコア網がハンドオーバの可否を決定して前記移動通信端末にハンドオーバ決定を通報する第３ステップと、
前記通報後の前記非同期移動通信網が前記ダミーパイロット信号に対する同期移動通信網の基地局情報を前記移動通信端末に要請して受信する第４ステップと、
前記非同期移動通信網が同期移動通信網の基地局情報を含むハンドオーバ要請メッセージを前記同期移動通信網に伝送する第５ステップと、
前記ハンドオーバ要請メッセージにしたがって、非同期移動通信網と同期移動通信網とがハンドオーバを行う第６ステップとを含むことを特徴とする、デュアルバンド／デュアルモードを支援する移動通信端末のハンドオーバ方法。
【請求項７】
前記第６ステップは、前記ハンドオーバ要請メッセージにしたがって、前記同期移動通信網の基地局情報による同期移動通信網の基地局が前記移動通信端末の同期無線装置に前方向チャネル割当を行うステップと、
前記同期移動通信網の交換機が前記非同期移動通信網に前記ハンドオーバ要請による応答信号を伝送するステップと、
前記非同期移動通信網が前記移動通信端末の非同期無線装置にチャネル割当情報を含むハンドオーバ要求メッセージを伝送するステップと、
前記ハンドオーバ要求メッセージにより同期移動通信網と移動通信端末の逆方向のチャネル割当および同期を一致させて接続を行うステップと、
前記接続後の同期移動通信網が前記非同期移動通信網に非同期無線装置との呼解除を要請するステップとを含むことを特徴とする、請求項６に記載のデュアルバンド／デュアルモードを支援する移動通信端末のハンドオーバ方法。
【請求項８】
前記接続を行うステップは、
前記ハンドオーバ要求メッセージにより前記移動通信端末の非同期無線装置が同期無線装置にチャネル割当情報を伝送して、前記非同期無線装置および同期無線装置間のモード切り替えを行って、前記同期無線装置と前記同期移動通信網との間に逆方向チャネル割当および同期を獲得して接続を行うことを特徴とする、請求項７に記載のデュアルバンド／デュアルモードを支援する移動通信端末のハンドオーバ方法。
【請求項９】
前記非同期無線装置および同期無線装置間のモード切り替え過程は、
前記同期無線装置のスイッチ−オンおよびワーム−アップを行って起動するステップと、
前記同期無線装置が前記同期移動通信網からパイロットチャネルおよび同期チャネルを獲得するステップと、
前記同期無線装置がアイドル状態に遷移して、アイドル状態の同期無線装置がトラフィックチャネルを初期化するステップと、
前記同期無線装置が初期化後トラフィック状態に遷移するステップとを含むことを特徴とする、請求項８に記載のデュアルバンド／デュアルモードを支援する移動通信端末のハンドオーバ方法。
【発明の詳細な説明】
【技術分野】
【０００１】
本発明は、デュアルバンド／デュアルモードを支援する移動通信端末のハンドオーバ方法に関し、より詳しくは同期式移動通信網と非同期式移動通信網において円滑なハンドオーバを可能にするデュアルバンド／デュアルモードを支援する移動通信端末のハンドオーバ方法に関するものである。
【背景技術】
【０００２】
現在、移動通信サービス技術は、ヨーロッパを中心に非同期サービス環境と北米を中心とする同期サービスに大きく分類される。また、高速でパケットを伝達するための新しい移動通信技術標準として、ＩＭＴ−２０００サービスを北米、ヨーロッパ中心にそれぞれ発展させている。
【０００３】
同期式（Ｓｙｎｃｈｒｏｎｏｕｓ）ＩＭＴ−２０００サービス（同期移動通信網）は、ＣＤＭＡ２０００  １ｘ、ＣＤＭＡ２０００  １ｘ  ＥＶ−ＤＯにサービス形態が発展しており、非同期式（ＡＳｙｎｃｈｒｏｎｏｕｓ）ＩＭＴ−２０００サービス（非同期移動通信網）は、ＷＣＤＭＡ  ＵＭＴＳサービスに発展している。このような環境では、同期式と非同期式との間のローミング問題が最大の懸案として台頭しており、これにより、同期移動通信網と非同期移動通信網とを円滑にローミングできるようにデュアルバンド／デュアルモードを支援する端末機が開発されている。
【０００４】
前記非同期移動通信網は、サービス要求の多い地域を中心に構築中であり、これにより、同期移動通信網はそのサービス領域が非同期方式システムのサービス領域を含む形態に進化するようになり、このような過程でユーザが非同期移動通信システムと同期移動通信システムとの間を相互移動する場合、連続的なサービス提供のためにシステム間のハンドオーバが必要になる。
【０００５】
現在の非同期移動通信システムと同期移動通信システム間のハンドオーバ時にはデュアルバンド／デュアルモードを支援する移動通信端末が備えている同期および非同期無線装置のいずれも活性化する。そして、非同期移動通信網を介して通話中に同期移動通信網に移動するようになる場合、同期無線装置で同期移動通信網の信号を検出し、それによりハンドオーバを行っている。
【０００６】
したがって、一方の無線装置だけを活性化させると、他方の移動通信網の信号を検出できないためにハンドオーバ成功率が低下するという問題が発生する。一方、ハンドオーバのために、複数の異なった無線装置を活性化させた状態で移動通信端末を作動させると、端末の電力が過多に消費されてしまい、その結果、バッテリの寿命が短くなってしまう。
【発明の開示】
【発明が解決しようとする課題】
【０００７】
したがって、上記のような問題点を解決するために、本発明は、電力消耗を減らしつつ、同期式移動通信網と非同期式移動通信網において、円滑なハンドオーバを可能にするデュアルバンド／デュアルモードを支援する移動通信端末のハンドオーバ方法を提供することにその目的がある。
【課題を解決するための手段】
【０００８】
上記のような目的を達成するための本発明に係るデュアルバンド／デュアルモードを支援する移動通信端末のハンドオーバ方法は、非同期移動通信網と同期移動通信網とが混在した移動通信網で、前記非同期移動通信網と非同期通信を行うための非同期無線装置と、前記同期移動通信網と同期通信を行うための同期無線装置と、前記同期および非同期無線装置を介して前記同期／非同期移動通信網との無線通信時の制御を行う共通モジュールを備えるデュアルバンド／デュアルモード移動通信端末のハンドオーバ方法であって、前記同期移動通信網の基地局は非同期移動通信網用ダミーパイロット信号を送出し、前記非同期無線装置を通した非同期移動通信網との呼接続中である移動通信端末が前記同期移動通信網の基地局から送出される非同期移動通信網用ダミーパイロット信号が前記非同期無線装置を介して受信されたかを判断する第１ステップと、前記第１ステップにおいて前記非同期移動通信網用ダミーパイロット信号が受信されたと判断すれば、移動通信端末が非同期移動通信網にハンドオーバを要請する第２ステップと、前記第２ステップにおけるハンドオーバ要請により、非同期移動通信網がハンドオーバを決定して、前記移動通信端末にハンドオーバ決定を通報し、前記非同期移動通信網が同期移動通信網にハンドオーバを要請してハンドオーバを行う第３ステップとを含むことを特徴とする。
【０００９】
また、本発明に係るハンドオーバ方法は、非同期移動通信網と非同期通信を行うための非同期無線装置と、前記同期移動通信網と同期通信を行うための同期無線装置と、前記同期および非同期無線装置とを介して前記同期／非同期移動通信網との無線通信時の制御を行う共通モジュールを備えるデュアルバンド／デュアルモード移動通信端末に対する非同期移動通信網と同期移動通信網とが混在した移動通信網のハンドオーバ方法であって、前記非同期移動通信網と同期移動通信網との境界地域に位置する前記同期移動通信網の基地局が非同期移動通信網用ダミーパイロット信号を送出する第１ステップと、前記非同期移動通信網が前記ダミーパイロット信号を受信した移動通信端末からハンドオーバ要請を受信する第２ステップと、前記ハンドオーバ要請により非同期移動通信網のコア網がハンドオーバの可否を決定して前記移動通信端末にハンドオーバ決定を通報する第３ステップと、前記通報後の前記非同期移動通信網が前記ダミーパイロット信号に対する同期移動通信網の基地局情報を前記移動通信端末に要請して受信する第４ステップと、前記非同期移動通信網が移動期移動通信網の基地局情報を含むハンドオーバ要請メッセージを前記同期移動通信網に伝送する第５ステップと、前記ハンドオーバ要請メッセージによって非同期移動通信網と同期移動通信網とがハンドオーバを行う第６ステップとを含むことを特徴とする。
【発明を実施する最良の形態】
【００１０】
以下では、添付した図面を参照して、本発明を詳細に説明することにする。
【００１１】
図１は、本発明に係る同期および非同期移動通信網の構成を説明するためのブロック図である。
【００１２】
図１を参照すれば、非同期移動通信網（ＷＣＤＭＡ網）１００は、移動通信端末４００と無線通信を行う無線局１０１および前記無線局１０１を制御する無線局制御機（以下「ＲＮＣ」と称する）１０２と、前記ＲＮＣ１０２と接続して移動通信端末４００の移動性を管理するサービングＧＰＲＳサービスノード（Ｓｅｒｖｉｎｇ  ＧＰＲＳ  Ｓｅｒｖｉｃｅ  Ｎｏｄｅ、以下「ＳＧＳＮ」と称する）１０３と、ＧＰＲＳ網１０５を介して前記パケットサービス制御およびパケットデータ伝送を行う中継装置である非同期通信網データサービス関門ノード（Ｇａｔｅｗａｙ  ＧＰＲＳ  Ｓｕｐｐｏｒｔｉｎｇ  Ｎｏｄｅ、以下「ＧＧＳＮ」と称する）１０６とを含む。
【００１３】
また、前記ＲＮＣ１０２には呼交換を行う交換機（以下「ＭＳＣ」と称する）（１０４）が接続され、前記ＭＳＣ１０４は信号交換のためのナンバーセブン信号網（Ｎｏ．７信号網）１０７と接続される。前記ナンバーセブン信号網１０７には短文メッセージを提供する短文メッセージサービスセンタ（以下「ＳＭＳＣ」と称する）１０８と、インテリジェントネットワーク制御機（以下「ＳＣＰ」と称する）１０９と、加入者の位置情報を管理するためのホーム位置登録機（以下「ＨＬＲ」と称する）１１０が接続される。
【００１４】
一方、同期移動通信網（ＣＤＭＡ２０００網）２００は、移動通信端末４００と無線通信を行う基地局（以下「ＢＴＳ」と称する）２０１と、前記ＢＴＳ２０１を制御する基地局制御機（以下「ＢＳＣ」と称する）２０２と、前記ＢＳＣ２０２と接続されてパケットデータをサービスするパケットデータサービスノード（Ｐａｃｋｅｔ  Ｄａｔａ  Ｓｅｒｖｉｃｅ  Ｎｏｄｅ、以下「ＰＤＳＮ」と称する）２０４と前記ＰＤＳＮ２０４に接続されてインターネット接続サービスを行うデータコアネットワーク（Ｄａｔａ  Ｃｏｒｅ  Ｎｅｔｗｏｒｋ、以下「ＤＣＮ」と称する）２０９と、前記ＢＳＣ２０２と接続され、交換を行う交換機（以下「ＭＳＣ」と称する）２０３を含んで構成される。
【００１５】
前記ＭＳＣ２０３は、信号交換のためのナンバーセブン信号網（Ｎｏ．７信号網）２０５と接続される。前記ナンバーセブン信号網２０５には短文メッセージを提供する短文メッセージサービスセンタ（以下「ＳＭＳＣ」と称する）２０６と、インテリジェントネットワーク制御機（以下「ＳＣＰ」と称する）２０７と、加入者の位置情報を管理するためのホーム位置登録機（以下「ＨＬＲ」と称する）２０８が接続される。
【００１６】
前記非同期移動通信網１００および同期移動通信網２００のＭＳＣ１０４，２０３は相互接続されており、ナンバーセブン信号網１０７，２０５もまた、相互接続されて移動通信端末４００のハンドオーバなどに必要な情報を送受信するようになる。
【００１７】
また、本実施形態において、前記同期移動通信網２００および非同期移動通信網１００は、それぞれ加入者情報と位置情報とを管理するためのＨＬＲ１１０，２０８を備えているが、１つのＨＬＲ（デュアルスタックホーム位置登録機）を用いて同期移動通信網２００および非同期移動通信網１００が加入者情報および位置情報を共有するようにすることもできる。
【００１８】
図２は、本発明に係るデュアルバンド移動通信端末の構成を説明するためのブロック図である。
【００１９】
図２を参照すれば、本発明に係るデュアルバンド移動通信端末４００は同期式移動通信と非同期式移動通信のいずれも支援するためのもので、それぞれのプロトコルのスタックを有する。
【００２０】
このような本発明に係る移動通信端末４００は、大きく分けて同期移動通信網２００および非同期移動通信網１００との電波送受信のためのアンテナ４１０と、同期式通信のための同期無線装置４３０と、非同期式通信をための非同期無線装置４２０と、同期式および非同期式通信時の共通するリソースを提供するための共通モジュール４４０とを含む。
【００２１】
前記同期無線装置４３０は、無線送信のための同期無線送信部４３２と、無線受信のための同期無線受信部４３３と、同期モデム部４３４とを含み、前記同期無線送信部４３２および同期無線受信部４３３の一側はデュープレクサ４３１を介してアンテナ４１０と接続されて、他側は前記同期モデム部４３４と接続される。
【００２２】
また、非同期無線装置４２０もまた無線送信のための非同期無線送信部４２２と、無線受信のための非同期無線受信部４２３と、非同期モデム部４２４とを含み、前記非同期無線送信部４２２および非同期無線受信部４２３の一側はデュープレクサ４２１を介してアンテナ４１０と接続され、他側は非同期モデム部４２４と接続される。
【００２３】
前記共通モジュール４４０は同期モデム部４３４および非同期モデム部４２４を制御するための中央処理装置として動作し、マルチメディア機能を行うアプリケーションプロセッサ、メモリ、入出力部、その他応用処理部などを含むものであり、詳細な構成は次の通りである。
【００２４】
図３は、本発明に係る移動通信端末の共通モジュールの構成を説明するためのブロック図である。
【００２５】
図３を参照すれば、本発明に係る移動通信端末の共通モジュール４４０は、前記同期無線装置４３０および非同期無線装置４２０の各モデム部４２４，４３４と接続される複数のデュアルポートラム（Ｄｕａｌ  Ｐｏｒｔ  ＲＡＭ、以下「ＤＰＲＡＭ」と称する）４４１，４４２と、前記ＤＰＲＡＭ４４１，４４２と接続されて移動通信端末４００の同期および非同期通信の全般的な制御とアプリケーション実行を行うメインプロセッサ４４３を含む。前記メインプロセッサ４４３にはデータ格納のためのメモリ４４４と、周辺装置の接続のためのＩ/Ｏ装置４４５および電力制御のための電力制御モジュール（以下「ＰＷＭ」と称する）４４６が接続される。
【００２６】
前記構成を有する共通モジュール４４０は、ユーザインターフェース、付加サービス、移動性管理、接続／セッション制御、リソース制御、プロトコル処理のためのソフトウェアが搭載され、ユーザが各種応用サービスを利用できるようにし、ハンドオーバを行い、移動通信システムに合うようにプロトコル変換を行う。
【００２７】
図４は、本発明の実施形態に係る非同期網と同期網とが混在した移動通信網におけるハンドオーバ概念図である。
【００２８】
本発明の実施形態では、前記移動通信端末４００は、非同期移動通信網１００を介して通話を行っている間に、同期移動通信網２００を検索できる。すなわち、移動通信端末４００は同期移動通信網２００のＢＴＳ２０１の信号の強さを検出し、非同期移動通信網１００に報告することができる。
【００２９】
前記移動通信端末４００は、非同期無線装置４２０および同期無線装置４３０を含んでおり、非同期移動通信網１００を介して通話を行っているときには、非同期無線装置４２０のみが活性化されているため同期移動通信網２００のＢＴＳ２０１信号を検出しにくい。
【００３０】
このために、本実施形態では非同期移動通信網１００と同期移動通信網２００との境界地域にある同期移動通信網２００のＢＴＳ２０１は、非同期移動通信網のパイロット信号（ＷＣＤＭＡパイロット信号）を送出する。そして、移動通信端末４００は、前記境界地域のＢＴＳ２０１から送出されるＷＣＤＭＡパイロット信号を非同期無線装置４２０を介して受信することによって、移動通信端末４００は，現在の位置が非同期移動通信網１００と同期移動通信網２００との境界地域であることを認知してハンドオーバを行う。
【００３１】
図４を参照すれば、非同期移動通信網１００の領域Ａと境界地域にある同期移動通信網２００の領域Ｂ１，Ｂ２に位置するすべてのＢＴＳ２０１は非同期移動通信網のパイロット信号（ＷＣＤＭＡパイロット信号）を送出する。
【００３２】
これにより、移動通信端末４００が非同期移動通信網１００の領域Ａから無線局１０１と通話中に同期移動通信網２００との境界領域に移動すると、移動通信端末４００は前記境界地域のＢＴＳ２０１から送出されるＷＣＤＭＡパイロット信号を非同期無線装置４２０を介して受信する。そして、移動通信端末４００は現在位置が非同期移動通信網１００と同期移動通信網２００との境界地域であることを認知し、非同期移動通信網１００の無線局１０１にハンドオーバを要請する。
【００３３】
前記過程によるハンドオーバ方法を以下にて詳しく説明することにする。
【００３４】
図５Ａおよび５Ｂは、本発明の実施形態に係るハンドオーバ方法を説明するためのフローチャートである。
【００３５】
図５Ａおよび５Ｂを参照すれば、移動通信端末４００の非同期無線装置４２０を介して非同期移動通信網１００と接続して通話を行う状態において（Ｓ１０）、移動通信端末４００の非同期モデム部４２４は非同期無線装置４２０を介して同期移動通信網２００のＢＴＳ２０１から送出されるＷＣＤＭＡダミーパイロット信号が受信されたかを判断する（Ｓ２１）。この時、ＷＣＤＭＡダミーパイロット信号はＢＴＳ２０１の基地局の情報を含む。
【００３６】
ステップＳ２１において、ＷＣＤＭＡダミーパイロット信号が受信されたと判断すれば、非同期無線装置４２０は現在の移動通信端末４００の位置が境界地域であることを認知し、非同期移動通信網１００にハンドオーバ要請を行う（Ｓ２２）。
【００３７】
これにより、非同期移動通信網１００のＭＳＣ１０４は、ハンドオーバの可否を決定する（Ｓ３１）。この時、ハンドオーバが不可能であると判断すれば、移動通信端末にハンドオーバ不可能を通報する（Ｓ３３）。しかし、ステップＳ３１でハンドオーバが可能であると決定（予め設定された条件に付合）すれば、ＭＳＣ１０４は移動通信端末４００の非同期無線装置４２０にハンドオーバを通報する（Ｓ３２）。
【００３８】
移動通信端末４００の非同期無線装置４２０は、前記ＷＣＤＭＡダミーパイロット信号に含まれたＢＴＳ２０１の基地局情報をＭＳＣ１０４に伝送する（Ｓ４１）。
【００３９】
ステップＳ４１の後に、非同期移動通信網１００は、同期移動通信網２００のＭＳＣ２０３に移動通信端末４００のハンドオーバを要請する（Ｒｅｌｏｃａｔｉｏｎ  Ｒｅｑｕｉｒｅｄ）（Ｓ４２）。この時、移動通信端末４００の識別番号を共に伝送し、ＩＳ−４１に定義されたＭＡＰ（Ｍｏｂｉｌｅ  Ａｐｐｌｉｃａｔｉｏｎ  Ｐａｒｔ）メッセージを用いて交換機（ＭＳＣ）にハンドオーバを要請する。
【００４０】
これにより、ＭＳＣ２０３は、ＢＳＣ／ＢＴＳにハンドオーバを要請するメッセージを伝送（Ｈａｎｄｏｆｆ  Ｒｅｑｕｅｓｔ）し（Ｓ４３）、ＢＳＣ／ＢＴＳはＭＳＣ２０３に応答信号（Ｈａｎｄｏｆｆ  Ｒｅｑ  Ａｃｋ）を伝送する（Ｓ４４）。
【００４１】
そして、境界地域にあるすべての同期移動通信網２００のＢＴＳは、移動通信端末４００の同期無線装置４３０に前方向トラフィック伝送のために前方向基本チャネル（Ｆｏｒｗａｒｄ  Ｆｕｎｄａｍｅｎｔａｌ  Ｃｈａｎｎｅｌ；Ｆ−ＦＣＨ）を介してヌル（ＮＵＬＬ）トラフィックを伝送（ｎｕｌｌ  Ｆ−ＦＣＨ  ｆｒａｍｅｓ）する（Ｓ５０）。これにより、移動通信端末４００の同期無線装置４３０に前方向チャネルが割り当てられるようになる。
【００４２】
このように、同期移動通信網２００においてハンドオーバの準備が完了すれば、同期移動通信網２００のＭＳＣ２０３は非同期移動通信網１００にステップＳ４２に対する応答信号（ｆａｃｄｉｒ２、Ｒｅｌｏｃａｔｉｏｎ  Ｃｏｍｍａｎｄ）を伝送する（Ｓ６１）。
【００４３】
その後、非同期移動通信網１００は、無線局/ＲＮＣを介して移動通信端末４００の非同期無線装置４２０にハンドオーバ要求メッセージを伝送する（Ｓ６２およびＳ６３）。この時ハンドオーバ要求メッセージは、同期移動通信網関連のメッセージ、特にチャネル割当のための情報を有するＨＤＭ（Ｈａｎｄｏｆｆ  Ｄｉｒｅｃｔｉｏｎ  Ｍｅｓｓａｇｅ）を含む。
【００４４】
これにより、非同期無線装置４２０はメインプロセッサ４４３を介してチャネル割当を要請（Ｓ７１）し、メインプロセッサ４４３は同期無線装置４３０にチャネル割当を行う（ｃｈａｎｅｌがａｓｓｉｇｎｍｅｎｔ）（Ｓ７２）。
【００４５】
その後、同期無線装置４３０の同期モデム部４３４はスイッチ−オンおよびワーム−アップ過程を介して起動し（Ｓ８０）、パイロットチャネル獲得（Ｓ９１）および同期チャネルを獲得する（Ｓ９２）。パイロットチャネルを獲得することによって、同期移動通信網２００のＢＴＳ／ＢＳＣと移動通信端末４００との間の同期化がなされ、同期チャネルを獲得することによってタイミング情報、その他のシステム情報などをＢＴＳ／ＢＳＣから受信するようになる。
【００４６】
これにより、移動通信端末４００の同期無線装置４３０はアイドル状態（遊休状態）（Ｓ１００）を経て、トラフィックチャネルを初期化（Ｓ１１０）し、トラフィック状態に遷移することによって同期移動通信網２００と接続がなされるようになる。
【００４７】
このように、通信準備過程が完了すれば、同期無線装置４３０はメインプロセッサ４４３を介して非同期無線装置４２０に呼接続を通報する（ｃａｌｌ  ｃｏｎｎｅｃｔｅｄ）（Ｓ１２１）。そして、ボコーダを同期無線装置４３０に変更（Ｓ１２２）する。
【００４８】
これにより、移動通信端末４００の非同期無線装置４２０および同期無線装置４３０間のモード切り替えが完了し、同期無線装置４３０は同期移動通信網２００のＢＴＳ／ＢＳＣに逆方向基本チャネル（Ｒｅｖｅｒｓｅ  Ｆｕｎｄａｍｅｎｔａｌ  Ｃｈａｎｎｅｌ；Ｒ−ＦＣＨ）を介してフレームを伝送して（Ｒ−ＦＣＨ  ｆｒａｍｅｓ）（Ｓ１３０）、移動通信端末４００は逆方向同期を獲得（Ｓ１４０）することによって、移動通信端末４００と同期移動通信網２００との間に接続がなされて移動通信端末４００の同期無線装置４３０は同期移動通信網２００にハンドオーバ完了を通報する（Ｓ１５０）。
【００４９】
その後、ＢＴＳ／ＢＳＣは、ＭＳＣ２０３にハンドオーバ完了を通報（Ｈａｎｄｏｆｆ  Ｃｏｍｐｌｅｔｅ、ＭＳＯＮＣＨ）し（Ｓ１６１）、ＭＳＣ２０３は非同期移動通信網１００にハンドオーバの完了を通報する（Ｓ１６２）。
【００５０】
これにより、非同期移動通信網１００のＭＳＣ１０４は無線局／ＲＮＣに移動通信端末４００の非同期無線装置４２０との呼を解除することを要請する（Ｉｕ  Ｒｅｌｅａｓｅ  Ｃｏｍｍａｎｄ、Ｓ１７１）。これにより、非同期移動通信網１００は、前記非同期無線装置４２０との呼を解除（Ｓ１７２）し、呼解除が完了したことをコア網に報告（ＩＵ  Ｒｅｌ．Ｃｏｍｐｌｅｔｅ）することによって（Ｓ１７３）、非同期移動通信網１００から同期移動通信網２００へのハンドオーバが完了するようになる。
【産業上の利用可能性】
【００５１】
以上で説明した本発明は、非同期移動通信システムと同期移動通信システムとが混在した移動通信網で、非同期移動通信網と同期移動通信網との境界地域にある同期移動通信網の基地局にＷＣＤＭＡダミーパイロット信号を送出することによって、デュアルバンド／デュアルモード移動通信端末機が非同期移動通信網との通話中にも非同期無線装置を介して同期移動通信網の信号を受信してハンドオーバを行うことにより複数の無線装置活性化にともなう電力消耗が防止され、非同期および同期移動通信網間のハンドオーバを円滑に行うことができるという効果がある。
【図面の簡単な説明】
【００５２】
【図１】本発明に係る移動通信端末と移動通信網との接続を説明するためのブロック図である。
【図２】本発明に係る移動通信端末の構成を説明するためのブロック図である。
【図３】本発明に係る移動通信端末の構成を説明するためのブロック図である。
【図４】本発明に係る非同期移動通信網と同期移動通信網の領域に係る移動通信端末のハンドオーバを説明するための説明図である。
【図５Ａ】本発明に係る移動通信端末のハンドオーバ過程を説明するためのフローチャートである。
【図５Ｂ】本発明に係る移動通信端末のハンドオーバ過程を説明するためのフローチャートである。
【図１】
2008527776.tif 000003
【図２】
2008527776.tif 000004
【図３】
2008527776.tif 000005
【図４】
2008527776.tif 000006
【図５Ａ】
2008527776.tif 000007
【図５Ｂ】
2008527776.tif 000008
【国際調査報告】
2008527776.tif 000009
2008527776.tif 000010